(57)【要約】【課題】  プレート螺合部が骨接合用プレートに螺合しているときに骨螺合部が骨に対して空回りして緩んでしまうようなことを防止することが可能な骨接合用固定ねじを提供すること。【解決手段】  骨に螺合される骨螺合部と、上記骨螺合部の基端側に設けられ上記骨に設置されるプレートに螺合するプレート螺合部と、を備えた接合用固定ねじにおいて、上記骨螺合部のピッチをＰ１とした場合、上記プレート螺合部のピッチＰ２はＰ１／Ｎ（Ｎは２以上の整数）であり、且つ、Ｎ条ねじになっていることを特徴とするもの。【選択図】  図１
0003136633.tif 000002
【実用新案登録請求の範囲】
【請求項１】
骨に螺合される骨螺合部と、上記骨螺合部の基端側に設けられ上記骨に設置される骨接合用プレートに螺合するプレート螺合部と、を備えた接合用固定ねじにおいて、
上記骨螺合部のピッチをＰ１とした場合、上記プレート螺合部のピッチＰ２はＰ１／Ｎ（Ｎは２以上の整数）であり、且つ、Ｎ条ねじになっていることを特徴とする骨接合用固定ねじ。
【請求項２】
請求項１記載の骨接合用固定ねじにおいて、
上記骨螺合部のピッチをＰ１とした場合、上記プレート螺合部のピッチはＰ１／２であり、且つ、二条ねじになっていることを特徴とする骨接合用固定ねじ。
【請求項３】
請求項１記載の骨接合用固定ねじにおいて、
上記プレート螺合部の軸方向長さは上記骨接合用プレートの厚みより長く設定されていると共に、プレート螺合部は上記骨螺合部より大径に設定されており、それによって、上記骨接合用プレートを上記骨に対して隙間（Ｌ）を存した状態で離間・設置することを特徴とする骨接合用固定ねじ。
【考案の詳細な説明】
【技術分野】
【０００１】
本考案は、例えば、掌を骨折したような場合において骨接合用プレートを掌の骨折部に沿わせて固定して接合する際に使用する骨接合用固定ねじに係り、特に、より強固な固定状態を得ることができるように工夫したものに関する。
【背景技術】
【０００２】
骨折部を骨接合用プレートによって接合する構成については、例えば、特許文献１にその一例が開示されている。
【特許文献１】特表２０００−５１２１８６号公報
【０００３】
上記特許文献１には、図３に示すような接合構造が開示されている。図３は上位上腕骨１０１に骨折が発生した場合を例に挙げて示すものである。図中骨折部を符号１０３で示す。この場合には、骨折部１０３を包囲するように骨接合用プレート１０５を設置する。そして、複数本の骨接合用固定ねじ１０７を螺合させることにより、上記骨接合用プレート１０５を上位上腕骨１０１に固定する。
【０００４】
上記骨接合用プレート１０５は、例えば、図４に示すような平面形状をなしている。そこには複数個の貫通穴１０９が形成されている。既に述べた骨接合用固定ねじ１０７はこれら貫通穴１０９を介して上位上腕骨１０１に螺合されることになる。
【０００５】
後はその状態で所定の養生期間をおくことにより骨折部１０３を接合するものである。又、固定した骨接合用プレート１０５については養生期間経過後に取り除くことになる。
尚、場合によっては骨接合用プレート１０５をそのまま残すこともある。
【０００６】
ところで、図３に示す接合構造の場合には、骨接合用プレート１０５を上位上腕骨１０１の表面に密着させた状態で設置している。ところが、このように骨接合用プレート１０５を上位上腕骨１０１の表面に密着させた場合には、上位上腕骨１０１の周囲における血流が損なわれてしまい、それによって、上位上腕骨１０１の骨折部１０３の成長が遅延してしまう等治癒効果が低下してしまうことが懸念されていた。
【０００７】
そこで、上記骨接合用プレート１０５を上位上腕骨１０１に対して離間した状態で設置することが提案されている。それを実現するために、図５に示すような骨接合用固定ねじ１２１が必要となる。
【０００８】
上記骨接合用固定ねじ１２１は、骨に螺合される骨螺合部１２３と、骨に離間した状態で設置される骨接合用プレートに螺合するプレート螺合部１２５とから構成されている。その際、骨螺合部１２３のピッチをＰ１とすると、プレート螺合部１２５のピッチＰ２はそれよりも小さなピッチ、例えば、Ｐ１／２に設定されている。例えば、骨螺合部１２３のピッチをＰ１を１．４ｍｍとすると、プレート螺合部１２５のピッチＰ２はその半分の０．７ｍｍに設定されている。これは、比較的薄肉の骨接合用プレートに対して螺合しなければならないという事情に基づいている。
【考案の開示】
【考案が解決しようとする課題】
【０００９】
上記従来の構成によると次のような問題があった、すなわち、骨螺合部１２３のピッチをＰ１とすると、プレート螺合部１２５のピッチＰ２はそれよりも小さなピッチ、例えば、Ｐ１／２に設定されているので、プレート螺合部１２５が骨接合用プレートに螺合しているときには、骨螺合部１２３とプレート螺合部１２５との移動量が異なってしまう。そのために、骨螺合部１２３が骨に対して空回りしてしまい、その結果、骨螺合部１２３の骨に対する螺合が緩んでしまうことがあった。骨螺合部１２３の骨に対する螺合が緩んでしまった場合には、骨接合用プレートの固定状態が損なわれてしまうことになる。
【００１０】
本考案はこのような点に基づいてなされたものでその目的とするところは、プレート螺合部が骨接合用プレートに螺合しているときに骨螺合部が骨に対して空回りして緩んでしまうようなことを防止することが可能な骨接合用固定ねじを提供することにある。
【課題を解決するための手段】
【００１１】
上記課題を解決するべく本願考案の請求項１による骨接合用固定ねじは、骨に螺合される骨螺合部と、上記骨螺合部の基端側に設けられ上記骨に設置される骨接合用プレートに螺合するプレート螺合部と、を備えた接合用固定ねじにおいて、  上記骨螺合部のピッチをＰ１とした場合、上記プレート螺合部のピッチＰ２はＰ１／Ｎ（Ｎは２以上の整数）であり、且つ、Ｎ条ねじになっていることを特徴とするものである。
又、請求項２による骨接合用固定ねじは、請求項１記載の骨接合用固定ねじにおいて、上記骨螺合部のピッチをＰ１とした場合、上記プレート螺合部のピッチはＰ１／２であり、且つ、二条ねじになっていることを特徴とするものである。。
又、請求項３による骨接合用固定ねじは、請求項１記載の骨接合用固定ねじにおいて、上記プレート螺合部の軸方向長さは上記骨接合用プレートの厚みより長く設定されていると共に、プレート螺合部は上記骨螺合部より大径に設定されており、それによって、上記骨接合用プレートを上記骨に対して隙間（Ｌ）を存した状態で離間・設置することを特徴とするものである。
【考案の効果】
【００１２】
以上述べたように本願考案の請求項１による骨接合用固定ねじは、上記課題を解決するべく本願考案の請求項１による骨接合用固定ねじは、骨に螺合される骨螺合部と、上記骨螺合部の基端側に設けられ上記骨に設置される骨接合用プレートに螺合するプレート螺合部と、を備えた接合用固定ねじにおいて、上記骨螺合部のピッチをＰ１とした場合、上記プレート螺合部のピッチＰ２はＰ１／Ｎ（Ｎは２以上の整数）であり、且つ、Ｎ条ねじになっているので、プレート螺合部の移動量と骨螺合部の移動量が同じとなり、よって、プレート螺合部が骨接合用プレートに螺合している時に骨螺合部が骨に対して緩んでしまうようなことはなく、その結果、より強固な固定状態を得ることができる。
又、請求項２による骨接合用固定ねじは、請求項１記載の骨接合用固定ねじにおいて、上記骨螺合部のピッチをＰ１とした場合、上記プレート螺合部のピッチはＰ１／２であり、且つ、二条ねじになっているので、極めて簡単な構成で所望の効果を得ることができる。
又、請求項３による骨接合用固定ねじは、請求項１記載の骨接合用固定ねじにおいて、上記プレート螺合部の軸方向長さは上記骨接合用プレートの厚みより長く設定されていると共に、プレート螺合部は上記骨螺合部より大径に設定されており、それによって、上記骨接合用プレートを上記骨に対して隙間（Ｌ）を存した状態で離間・設置する構成になっているので、骨折部の周囲の血流を良好な状態に維持でき、そのような構成を前提にして、より強固な固定状態を得ることができる。又、そのような状態を簡単に提供することができる。
【考案を実施するための最良の形態】
【００１３】
以下、図１及び図２を参照して本考案の一実施の形態を説明する。この一実施の形態は掌近傍の骨の骨折部を例に挙げて示すものである。まず、骨１があり、この骨１は、骨本体３と、この骨本体３の表面にある皮質骨５とから構成されている。上記骨１には骨折が発生している。図中骨折部を符号７で示す。
【００１４】
上記骨折部７を覆うように骨接合用プレート９が設置されている。この骨接合用プレート９は、上記骨１に対して隙間（Ｌ）を存した状態で離間・設置されるものであり、それによって、骨折部７の周囲の血流を良好な状態で維持せんとするものである。
尚、上記骨接合用プレート９の平面形状としては、例えば、図１（ａ）に示すようなものであるが、それに限定されるものでなく、様々な形状、大きさの骨接合用プレート９が想定される。
【００１５】
上記骨接合用プレート９は次のような構成によって骨１の表面に固定されている。図１（ｂ）に示すように、まず、骨接合用固定ねじ１１がある。この骨接合用固定ねじ１１は、骨１に螺合される骨螺合部１３と、上記骨接合用プレート９に螺合されるプレート螺合部１５とを備えた構成になっている。又、上記プレート螺合部１５側にはねじ頭部１７が設けられている。
【００１６】
上記骨螺合部１３は、図２（ｂ）に示すように、そのピッチＰ１が１．４ｍｍに設定されている。これに対して、プレート螺合部１５のピッチＰ２は０．７ｍｍ、つまり、骨螺合部１３のピッチＰ１  （１．４ｍｍ）の半分に設定されている。又、プレート螺合部１５は二条ねじとして構成されている。つまり、プレート螺合部１５は一回転でピッチ（０．７ｍｍ）の二倍分移動するように構成されている。その結果、プレート螺合部１５の移動量（リード）は骨螺合部１３の移動量（リード）と同じとなる。
【００１７】
又、図１（ｂ）に示すように、上記プレート螺合部１５の軸方向長さは骨接合用プレート９の厚みより所定量だけ長く設定されている。又、プレート螺合部１５の径は骨螺合部１３の径よりも大きく設定されている。それによって、骨接合用プレート９を骨１に対して隙間（Ｌ）を存した状態で離間・設置することを可能にするものである。
因みに、上記隙間（Ｌ）は、図１（ｂ）では極端に示しているが、例えば、１．０ｍｍ程度のものである。
【００１８】
以上の構成を基にその作用を説明する。
まず、骨接合用プレート９を所定の位置に設置した状態で、骨接合用固定ねじ１１を貫通させて骨１に螺合させていく。つまり、骨螺合部１３を介して骨１に螺合していくものである。
【００１９】
骨螺合部１３の骨１に対する螺合が進行していくと、やがてプレート螺合部１５が骨接合用プレート９に螺合しはじめる。その際、プレート螺合部１５のピッチＰ２は骨螺合部１３のピッチＰ１（１．４ｍｍ）の半分の０．７ｍｍに設定されていると共に二条ねじとして構成されているので、プレート螺合部１５の移動量と骨螺合部１３の移動量が同じとなる。よって、プレート螺合部１５が骨接合用プレート９に螺合している時に、骨螺合部１３が骨１に対して空回りしてしまうようなことはない。
【００２０】
プレート螺合部１５の骨接合用プレート９に対する螺合が終了することにより、骨接合用固定ねじ１１の螺合が終了する。その際、上記プレート螺合部１５の軸方向長さは骨接合用プレート９の厚みより所定量だけ長く設定されていると共に、プレート螺合部１５の径は骨螺合部１３の径よりも大きく設定されているので、図１（ｂ）に示すように、骨接合用プレート９が骨１に対して隙間（Ｌ）を存した状態で離間・設置されることになる。
後は、残りの骨接合用固定ねじ１１についても同様に螺合させることにより、骨接合用プレート９の固定作業が終了することになる。
【００２１】
以上本実施の形態によると次のような効果を奏することができる。
まず、プレート螺合部１５のピッチＰ２は骨螺合部１３のピッチＰ１（１．４ｍｍ）の半分の０．７ｍｍに設定されていると共に二条ねじとして構成されているので、プレート螺合部１５の移動量と骨螺合部１３の移動量が同じとなる。よって、プレート螺合部１５が骨接合用プレート９に螺合している時に、骨螺合部１３が骨１に対して空回りしてしまって、骨螺合部１３の骨１に対する螺合が緩んでしまうようなことを防止することができる。したがって、より強固な固定状態を得ることができる。
又、上記プレート螺合部１５の軸方向長さは上記骨接合用プレート９の厚みより長く設定されていると共に、プレート螺合部１５は上記骨螺合部１３より大径に設定されているので、上記骨接合用プレート９を上記骨１に対して隙間（Ｌ）を存した状態で離間・設置させることができる。そして、骨折部７の周囲の血流を良好な状態に維持でき、そのような構成を前提にして、より強固な固定状態を得ることができる。
【００２２】
尚、本考案は前記一実施の形態に限定されるものではない。
まず、前記一実施の形態の場合には、プレート螺合部１５のピッチＰ２を骨螺合部１３のピッチＰ１の半分とし、且つ、プレート螺合部１５を二条ねじとしたが、それに限定されるものではない。例えば、プレート螺合部１５のピッチＰ２を骨螺合部１３のピッチＰ１の１／３とし、且つ、プレート螺合部１５を３条で構成することも考えられる。要は骨螺合部１３のリードとプレート螺合部１５のリードを同じにする前提で、骨螺合部１３のピッチＰ１とプレート螺合部１５のピッチＰ２と条数（Ｎ）を任意に設定すればよい。
又、骨折部位についてはこれを特に限定するものではなく、様々な大きさと形状の骨接合用プレートの固定に使用される多種類の骨接合用固定ねじに適用可能である。
【産業上の利用可能性】
【００２３】
本考案は、例えば、掌を骨折した場合にプレートを骨折部に沿わせて固定して接合する際に使用する骨接合用固定ねじに係り、特に、より強固な固定状態を得ることができるように工夫したものに関し、例えば、掌の骨折時に骨接合用プレートを固定する場合に使用するロッキングスクリュに好適である。
【図面の簡単な説明】
【００２４】
【図１】本考案の一実施の形態を示す図で、図１（ａ）は骨接合用プレートを骨の骨折個所に固定している状態を示す平面図、図１（ｂ）は図１（ａ）のｂ−ｂ断面図である。
【図２】本考案の一実施の形態を示す図で、図２（ａ）は骨接合用固定ねじの正面図、図２（ｂ）は図２（ａ）のｂ部を拡大して示す一部正面図である。
【図３】従来例を示す図で、骨折個所に骨接合用プレートを固定している状態を示す正面図である。
【図４】従来例を示す図で、骨接合用プレートの構成を示す斜視図である。
【図５】従来例を示す図で、骨接合用固定ねじの構成を示す側面図である。
【符号の説明】
【００２５】
１  骨
３  骨本体
５  皮質骨
７  骨折部
９  骨接合用プレート
１１  骨接合用固定ねじ
１３  骨螺合部
１５  プレート螺合部
１７  ねじ頭部
【図１】
0003136633.tif 000003
【図２】
0003136633.tif 000004
【図３】
0003136633.tif 000005
【図４】
0003136633.tif 000006
【図５】
0003136633.tif 000007